(57)【要約】【課題】電話網を使用するハンズフリー電話としての通話とブルートゥース通信を用いるインターコム通話とを自動で切り替えて車両間のハンズフリー通話を行うハンズフリー電話装置を得る。【解決手段】ハンズフリー電話装置１Ａの制御部は、通話相手のブルートゥース通信機能を有するハンズフリー電話装置１Ｂがブルートゥース通信圏内にあることを当該ハンズフリー電話装置１Ａのブルートゥース通信部１２の出力信号から検知したとき通話相手のハンズフリー電話装置１Ｂとブルートゥース通信による通話を行うように、また、通話相手のハンズフリー電話装置１Ｂがブルートゥース通信圏内で検知されないとき携帯電話機２を携帯電話機３に電話接続してハンズフリー電話装置１Ｂとの通話を行うように、ハンズフリー電話装置１Ａのブルートゥース通信部１２を制御する。【選択図】図１
2008153976.tif 000002
【特許請求の範囲】
【請求項１】
使用者に操作を行わせる操作手段と、ハンズフリー通話の音声入出力を行う音声入出力手段と、ブルートゥース通信機能を有する携帯電話機をブルートゥース通信によって制御するブルートゥース通信手段と、前記操作手段でなされた操作に基づいて前記音声入出力手段及びブルートゥース通信手段を制御し前記携帯電話機のハンズフリー通話を行う制御手段とを備えるハンズフリー電話装置において、
前記制御手段は、通話相手のブルートゥース通信機能を有する電話装置がブルートゥース通信圏内にあることを前記ブルートゥース通信手段の出力信号から検知したとき、前記通話相手の電話装置とブルートゥース通信による通話を行うように、また、前記通話相手の電話装置がブルートゥース通信圏内にあることが前記出力信号から検知されないとき前記携帯電話機を電話網に接続させて前記通話相手の電話装置と通話を行うように、前記ブルートゥース通信手段を制御することを特徴とするハンズフリー電話装置。
【請求項２】
制御手段は、操作手段から入力された通話相手の携帯電話機の電話番号を記憶手段に記憶させ、該通話相手の電話装置がブルートゥース通信圏内で検知されなかったとき、前記記憶手段に記憶されている電話番号へ発呼するようにブルートゥース通信手段を制御することを特徴とする請求項１記載のハンズフリー電話装置。
【請求項３】
制御手段は、通話相手の電話装置と電話網を介して通話するとき、ブルートゥース通信機能を有する複数の携帯電話機と各々ブルートゥース通信を行い該複数の携帯電話機の中で基地局との接続状態が良好なものを使用して前記通話相手の電話装置と接続するようにブルートゥース通信手段を制御することを特徴とする請求項１または請求項２記載のハンズフリー電話装置。
【発明の詳細な説明】
【技術分野】
【０００１】
この発明は、ブルートゥース通信機能を有する車載用のハンズフリー電話装置に関するものである。
【背景技術】
【０００２】
車両と車両との間において通信を行う通信装置として、良好な通信環境が得られるチャンネルを選択し、例えばブルートゥース通信を行うものがある（例えば、特許文献１参照）。
また、送話音声を入力するマイクロホンと受話音声を出力するスピーカとを有するハンズフリー装置を自動車の車室内に設置し、このハンズフリー装置とブルートゥース通信圏内にある携帯電話機との間でブルートゥース通信を行うものがある。上記のハンズフリー装置は、携帯電話機とのブルートゥース通信による音声通話、またはコマンド等の送受信のいずれかを使用者の選択に応じて行っている。詳しくは、手動の選択操作によりインターホン通話とハンズフリー通話とを切り替え、ハンズフリー通話が選択されたときにはコマンド等の送受信を行っている携帯電話機を介して電話網と接続し、いずれかの電話と通話を行うようにしている（例えば、特許文献２参照）。
【０００３】
【特許文献１】特開２００５−１５０８４８号公報（第６，７頁、図２〜４）
【特許文献２】特開２００２−１７１３３６号公報（第３〜５頁、図１〜４）
【発明の開示】
【発明が解決しようとする課題】
【０００４】
従来のハンズフリー電話装置は以上のように構成されているので、電話網を使用するハンズフリー電話としての通話と、ブルートゥース通信を用いるインターコム通話とを手動で切り替えて通話を行わなければならず、換言すると、通信経路を手動で選択設定しなければならないことから、自車に搭載されているハンズフリー電話装置と他車に搭載されているハンズフリー電話装置との間で通話を行うとき、自車と他車との距離が近い場合でも電話網を経由する通信経路を選択すると通話料金が発生してしまうという課題があった。
【０００５】
この発明は上記のような課題を解決するためになされたもので、電話網を使用するハンズフリー電話としての通話とブルートゥース通信を用いるインターコム通話とを自動で切り替えて車両間のハンズフリー通話を行うハンズフリー電話装置を得ることを目的とする。
【課題を解決するための手段】
【０００６】
この発明に係るハンズフリー電話装置は、制御手段が、通話相手のブルートゥース通信機能を有する電話装置がブルートゥース通信圏内にあることをブルートゥース通信手段の出力信号から検知したとき通話相手の電話装置とブルートゥース通信による通話を行うように、また、通話相手の電話装置がブルートゥース通信圏内で検知されないとき携帯電話機を電話網に接続させて通話相手の電話装置と通話を行うようにブルートゥース通信手段を制御するものである。
【発明の効果】
【０００７】
この発明によれば、制御手段がブルートゥース通信手段を制御して、通話相手のブルートゥース通信機能を有する電話装置がブルートゥース通信圏内にあることを検知したとき通話相手の電話装置とブルートゥース通信による通話を行い、通話相手の電話装置がブルートゥース通信圏内で検知されないとき携帯電話機を電話網に接続させて通話相手の電話装置と通話を行うようにしたので、車両間通話の通話料金を効率よく抑制することができるという効果がある。
【発明を実施するための最良の形態】
【０００８】
以下、この発明の実施の一形態を説明する。
実施の形態１．
図１は、この発明の実施の形態１によるハンズフリー電話装置を用いた通信システムの構成を示す説明図である。破線で示した車両Ａには、マイク１０及びスピーカ１１を備えるハンズフリー電話装置１Ａが設置されている。ハンズフリー電話装置１Ａはブルートゥース通信部１２を備えている。車両Ａにはブルートゥース通信部２０を備える携帯電話機２が搭載されている。破線で示した車両Ｂには、マイク１０及びスピーカ１１を備えるハンズフリー電話装置１Ｂが設置されている。ハンズフリー電話装置１Ｂはブルートゥース通信部１２を備えている。車両Ｂにはブルートゥース通信部３０を備える携帯電話機３が搭載されている。
【０００９】
ハンズフリー電話装置１Ａのブルートゥース通信部１２は、携帯電話機２のブルートゥース通信部２０との間でブルートゥース通信を行うように構成されている。
ハンズフリー電話装置１Ｂのブルートゥース通信部１２は、携帯電話機３のブルートゥース通信部３０との間でブルートゥース通信を行うように構成されている。
また、ハンズフリー電話装置１Ａのブルートゥース通信部１２とハンズフリー電話装置１Ｂのブルートゥース通信部１２は、ハンズフリー電話装置１Ａとハンズフリー電話装置１Ｂの間でブルートゥース通信を行うように構成されている。
【００１０】
図２は、実施の形態１によるハンズフリー電話装置の構成を示すブロック図である。図１に示したものと同一部分に同じ符号を使用し、その説明を省略する。図１に示したハンズフリー電話装置１Ａとハンズフリー電話装置１Ｂは同様に構成され、どちらも図２に示したように構成されている。
ハンズフリー電話装置１Ａ，１Ｂは、前述のように送話音声を入力するマイク１０と受話音声を出力するスピーカ１１とを備える。マイク１０とスピーカ１１は、車両Ａ，Ｂの車室内に設置され、マイク１０からの音声信号を増幅して制御部１３へ入力し、また制御部１３からの音声信号を増幅してスピーカ１１へ出力するアンプ等から成る音声入出力部１４に接続されている。
【００１１】
また、ハンズフリー電話装置１Ａ，１Ｂには、前述のようなブルートゥース通信部１２と、当該装置の動作状態及び操作案内等の表示を行う表示部１５と、使用者等に設定などの操作を行わせる操作部１６とを備えている。
ブルートゥース通信部１２、音声入出力部１４、及び表示部１５は、制御部１３によって制御されるように各々接続されている。制御部１３は、操作部１６になされた操作内容を示す信号を入力するように当該操作部１６と接続されている。この制御部１３は例えばプロセッサなどのデバイスから成り、予め記憶設定されているプログラムに従って上記の各部を制御するもので、内部に記憶部１３ａを備えている。
【００１２】
図２に示したブルートゥース通信部１２は、他のブルートゥース通信部とブルートゥース規格の無線通信を行う無線通信機で、電話の通話音声や各制御信号等の通信を行うように構成されている。また、ブルートゥース通信に用いている電波の電界強度を示す信号、及び、他のブルートゥース通信部等とブルートゥース通信のリンクが張られているか否かを示す信号を制御部１３へ出力するように構成されている。またさらに、例えば携帯電話機２とブルートゥース通信によって接続されているときには、当該携帯電話機２の電界強度即ち携帯電話基地局と携帯電話機２との間の通信電波の電界強度を示す信号を制御部１３へ出力するように構成されている。
なお、ハンズフリー電話装置１Ａ，１Ｂを、例えばカーナビゲーション装置に含めて構成し、車両Ａ，Ｂに搭載するようにしてもよい。
【００１３】
次に動作について説明する。
図３−１及び図３−２は、実施の形態１によるハンズフリー電話装置の動作を示すフローチャートである。
初めに使用者は、各々の車両Ａ，Ｂに設置されているハンズフリー電話装置１Ａ，１Ｂの表示部１５に表示されている内容を確認しながら操作部１６を操作し、相互の携帯電話機２，３の電話番号を登録する（ステップＳＴ１０１）。具体的には、車両Ａの使用者は車両Ｂに搭載される携帯電話機３の電話番号をハンズフリー電話装置１Ａに登録し、車両Ｂの使用者は車両Ａに搭載される携帯電話機２の電話番号をハンズフリー電話装置１Ｂに登録する。このとき、各ハンズフリー電話装置１Ａ，１Ｂの制御部１３は、操作部１６から入力した電話番号を、例えば図２に示した制御部１３自ら備えている記憶部１３ａに記憶する。
【００１４】
例えば、車両Ａのハンズフリー電話装置１Ａから車両Ｂのハンズフリー電話装置１Ｂへ発呼して通話を行うときの動作を説明する。
前述のように各々の携帯電話番号を登録した後、車両Ａに備えられているハンズフリー電話装置１Ａの操作部１６に対して、車両Ｂのハンズフリー電話装置１Ｂとの接続を開始するように操作が行われると、ハンズフリー電話装置１Ａの制御部１３は、当該装置のブルートゥース通信部１２を制御して車両Ｂのハンズフリー電話装置１Ｂのブルートゥース通信部１２の探索を行わせる（ステップＳＴ１０２）。次にハンズフリー電話装置１Ａの制御部１３は、ハンズフリー電話装置１Ｂのブルートゥース通信部１２が見つかったか否か、即ち通話相手のハンズフリー電話装置１Ｂがブルートゥース通信圏内にあるか否かを、自らのブルートゥース通信部１２からの制御信号等の内容に基づいて、詳しくは前述のブルートゥース通信に用いる電波の電界強度を示す信号等を用いて判定する（ステップＳＴ１０３）。ブルートゥース通信圏内にいないと判定したとき、即ちブルートゥース通信圏内で通話相手のハンズフリー電話装置１Ｂが検知されなかったときには、自らのブルートゥース通信部１２を制御して車両Ａに搭載されている携帯電話機２のブルートゥース通信部２０との間にブルートゥース通信のリンクを張る（ステップＳＴ１０４）。こうしてハンズフリー電話装置１Ａを携帯電話機２によって電話網と接続可能な状態とする。
【００１５】
ステップＳＴ１０３の過程において、ハンズフリー電話装置１Ｂのブルートゥース通信部１２が見つかったと判定したとき、即ちブルートゥース電話装置１Ｂをブルートゥース通信圏内で検知したときには、当該ハンズフリー電話装置１Ｂのブルートゥース通信部１２との間にブルートゥース通信のリンクを張る（ステップＳＴ１０５）。こうしてハンズフリー電話装置１Ａ自ら備えるブルートゥース通信のプロファイルを、ハンズフリー電話装置１Ｂと通信可能な状態とする。
なお、ハンズフリー電話装置１Ｂの制御部１３は、ハンズフリー電話装置１Ａとの間にブルートゥース通信のリンクが張られていないときには、当該ハンズフリー電話装置１Ｂのブルートゥース通信部１２を制御して、車両Ｂに搭載されている携帯電話機３のブルートゥース通信部３０との間にブルートゥース通信のリンクを張り、電話網と接続可能な状態にする。
【００１６】
ハンズフリー電話装置１Ａの制御部１３は、ハンズフリー電話装置１Ｂとの通話要求があるか否かを判定し（ステップＳＴ１０６）、例えば通話要求を示す制御信号が操作部１６から出力されるまで待機する。上記の通話要求があったと判定したときには、ハンズフリー電話装置１Ｂと直接ブルートゥース通信のリンクを張っているか否かを判定する（ステップＳＴ１０７）。上記のブルートゥース通信のリンクが張ってあると判定したときには、ハンズフリー電話装置１Ａのブルートゥース通信部１２及び音声入出力部１４を制御して、ハンズフリー電話装置１Ｂとブルートゥース通信によるインターコム通話を行う（ステップＳＴ１０８）。
上記のインターコム通話では、車両Ａのハンズフリー電話装置１Ａのマイク１０に入力された音声が、車両Ｂのハンズフリー電話装置１Ｂのスピーカ１１に音声出力される。また、同様に、車両Ｂのハンズフリー電話装置１Ｂのマイク１０に入力された音声が、車両Ａのハンズフリー電話装置１Ａのスピーカ１１に音声出力される。
【００１７】
操作部１６に終話を指示する操作が行われたか否かを判定する（ステップＳＴ１０９）。終話の指示があったと判定したときにはステップＳＴ１０６の過程に戻り、通話要求があるまで待機するように各部を制御し、以降の各過程を同様に行う。ステップＳＴ１０９の過程で、終話の指示が行われていないと判定したときには、ブルートゥース通信部１２の動作状態を検出してハンズフリー電話装置１Ｂと直接ブルートゥース通信を継続するか否かを判定する（ステップＳＴ１１０）。
詳しくは、制御部１３がブルートゥース電話装置１Ａのブルートゥース通信部１２からの制御信号等を入力し、例えばブルートゥース通信のリンクの有無を示す信号からリンクが切れているかを判断する、またはブルートゥース通信に使用している電波の電界強度が充分であるか否かを判断する。このようにして通話相手のハンズフリー電話装置１Ｂに対して直接ブルートゥース通信のリンクが張られていることを監視し、例えば、上記の制御信号等が、ブルートゥース通信に使用している電波の電界強度が充分であることを示しており、ハンズフリー電話装置１Ｂとのブルートゥース通信を継続することができると判定したときにはステップＳＴ１０８の過程に戻り、以降の各過程を前述のように行う。
【００１８】
車両Ａと車両Ｂとの間が離れていくと、ブルートゥース通信に使用している電波の電界強度が弱くなってブルートゥース通信のリンクが切れてしまう。前述のステップＳＴ１０７の過程において、ハンズフリー電話装置１Ｂに対して直接張っていたブルートゥース通信のリンクが切れたと判定したときには、ハンズフリー電話装置１Ａのブルートゥース通信部１２を制御して、前述のように携帯電話機２のブルートゥース通信部２０とブルートゥース通信のリンクを張り、携帯電話機２を介して車両Ｂに搭載されている携帯電話機３にダイヤルする（ステップＳＴ１１１）。
なお、携帯電話機３の電話番号は、前述のようにハンズフリー電話装置１Ａの制御部１３に備えられている記憶部１３ａに記憶されており、ハンズフリー電話装置１Ａの制御部１３は、ステップＳＴ１１１の過程において自ら記憶している電話番号の携帯電話機３に発呼する。
【００１９】
前述のステップＳＴ１１０の過程で、ハンズフリー電話装置１Ｂと直接ブルートゥース通信を継続することが難しいと判定したときには、ハンズフリー電話装置１Ａのブルートゥース通信部１２を制御して携帯電話機２とブルートゥース通信を行い、上記のステップＳＴ１１１の過程に進み、前述の説明と同様に携帯電話機２を制御して携帯電話機３に発呼する。この発呼により、携帯電話機２と携帯電話機３との間に通信回線が確立すると、ハンズフリー電話装置１Ａとハンズフリー電話装置１Ｂは、携帯電話機２，３が接続している電話網を介してハンズフリー電話として通話動作を行う（ステップＳＴ１１２）。
上記のハンズフリー電話としての通話は、車両Ａに搭載されたハンズフリー電話装置１Ａのマイク１０に入力された音声が、携帯電話機２及び携帯電話機３を経由して車両Ｂに搭載されたハンズフリー電話装置１Ｂのスピーカ１１から出力される。同様に車両Ｂのハンズフリー電話装置１Ａのマイク１０に入力された音声が、携帯電話機３及び携帯電話機２を経由して車両Ａのハンズフリー電話装置１Ａのスピーカ１１から出力される。
【００２０】
制御部１３は、ハンズフリー電話による通話が行われているとき、操作部１６に終話を指示する操作が行われたか否かを監視し（ステップＳＴ１１３）、操作部１６に終話の指示操作が行われたと判定したときにはステップＳＴ１０２の過程に戻り、以降の過程を同様に行う。ステップＳＴ１１３の過程で終話の指示操作が行われていないと判定したときにはハンズフリー電話装置１Ｂと直接ブルートゥース通信のリンクが張れるか否かを判定する（ステップＳＴ１１４）。この判定は、ハンズフリー電話装置１Ａのブルートゥース通信部１２が出力している制御信号等の内容から、車両１Ｂ即ちハンズフリー電話装置１Ｂがブルートゥース通信圏内にあるか否かを、前述のステップＳＴ１０３の過程と同様な処理動作によって判断するものである。
【００２１】
例えば、車両Ａと車両Ｂとの距離が近付いて互いにブルートゥース通信圏内に入ると、ブルートゥース通信に使用する電波の電界強度が強くなってブルートゥース通信が行える状態になる。このように、携帯電話機２及び携帯電話機３を用いてハンズフリー通話を行っている最中に、ハンズフリー電話装置１Ａ及びハンズフリー電話装置１Ｂの位置関係が変化してブルートゥース通信圏内に入るようになると、ハンズフリー電話装置１Ａの制御部１３は、前述のステップＳＴ１１４の過程において、ハンズフリー電話装置１Ｂと直接ブルートゥース通信のリンクが張れると判定し、ハンズフリー電話装置１Ａのブルートゥース通信部１２を制御して、携帯電話機２を介して接続している通信経路を切断し（ステップＳＴ１１５）、その替りにハンズフリー電話装置１Ｂのブルートゥース通信部１２とリンクを張ってステップＳＴ１０８の過程に戻り、前述のインターコム通話を行う。また、以降の各過程を同様に行う。
【００２２】
ステップＳＴ１１４の過程で、ハンズフリー電話装置１Ｂのブルートゥース通信部１２と直接ブルートゥース通信のリンクを張ることができないと判定したときにはステップＳＴ１１２の過程に戻り、これまでと同様にハンズフリー電話の通話動作を継続し、以降の各過程を同様に行う。
なお、ここではハンズフリー電話装置１Ａからハンズフリー電話装置１Ｂへ発呼して通話を行う場合の動作を説明したが、ハンズフリー電話装置１Ｂからハンズフリー電話装置１Ａへ発呼して通話を行う場合も同様な動作処理が行われる。
【００２３】
以上のように実施の形態１によれば、ハンズフリー電話装置１Ａの制御部１３がブルートゥース通信部１２の出力信号から通話相手のハンズフリー電話装置１Ｂがブルートゥース通信圏内にあると判定したときには、ブルートゥース通信部１２を制御してハンズフリー電話装置１Ｂとブルートゥース通信による通話を行い、ブルートゥース通信圏内にないと判定したときには携帯電話機２を用いて電話網と接続してハンズフリー電話装置１Ｂと通話を行うようにしたので、ハンズフリー電話装置１Ａを搭載している車両Ａと通話相手のハンズフリー電話装置１Ｂを搭載している車両Ｂとの距離が近いときには通話料金が不要なブルートゥース通信によるインターコム通話を行い、距離が離れているときには電話網を介して通話することを自動で切り替えることができ、車両間の通話を効率よく安価にすることができるという効果がある。
【００２４】
実施の形態２．
図４は、この発明の実施の形態２によるハンズフリー電話装置を用いた通話システムの構成を示す説明図である。図１，２に示したものと同一あるいは相当する部分に同じ符号を使用し、その説明を省略する。図４に示した実施の形態２によるハンズフリー電話装置１Ａ，１Ｂは、図１，２を用いて説明したものと概ね同様に構成されている。ここでは、実施の形態１で説明したものと同様に構成されている部分の重複説明を省略し、実施の形態２によるハンズフリー電話装置１Ａ，１Ｂの特徴となる部分の説明を行う。
【００２５】
図４に示した携帯電話機２はブルートゥース通信部２０を、携帯電話機３はブルートゥース通信部３０を備え、携帯電話機４はブルートゥース通信部４０を、携帯電話機５はブルートゥース通信部５０を備えている。
携帯電話機２，３と携帯電話機４，５とは、異なる携帯電話会社によって通信サービスが提供されるもので、例えば携帯電話機２，３は携帯電話会社甲の管理する基地局と接続して通信サービスを受け、携帯電話機４，５は携帯電話会社乙の管理する基地局に接続して通信サービスを受けるものである。即ち、車両Ａは、携帯電話会社甲の図示されない基地局を介して電話網へ接続する携帯電話機２と、携帯電話会社乙の図示されない基地局を介して電話網へ接続する携帯電話機４とを搭載している。同様に、車両Ｂは、携帯電話会社甲の図示されない基地局を介して電話網へ接続する携帯電話機３と、携帯電話会社乙の図示されない基地局を介して電話網へ接続する携帯電話機５とを搭載している。
【００２６】
図４に示した実施の形態２によるハンズフリー電話装置１Ａは、図１等に示したブルートゥース通信部１２に替えて、携帯電話機２のブルートゥース通信部２０との間、ならびに携帯電話機４のブルートゥース通信部４０との間でブルートゥース通信を行うように構成されているブルートゥース通信部１２ａを備えている。また、図４のハンズフリー電話装置１Ｂも、図１等に示したブルートゥース通信部１２に替えて、携帯電話機３のブルートゥース通信部３０との間、ならびに携帯電話機５のブルートゥース通信部５０との間でブルートゥース通信を行うように構成されているブルートゥース通信部１２ａを備えている。
なお、図４に示したハンズフリー電話装置１Ａのブルートゥース通信部１２ａとハンズフリー電話装置１Ｂのブルートゥース通信部１２ａは、実施の形態１で説明した図１のハンズフリー電話装置１Ａのブルートゥース通信部１２とハンズフリー電話装置１Ｂのブルートゥース通信部１２のように直接ブルートゥース通信のリンクを張って、インターコム通話を行うことができるように構成されている。
【００２７】
次に動作について説明する。
ここでは、前述の実施の形態１によるハンズフリー電話装置と同様な動作について詳細説明を省略し、実施の形態２によるハンズフリー電話装置の特徴となる動作を説明する。実施の形態２によるハンズフリー電話装置の動作では、実施の形態１で説明した図３−１及び図３−２に示した各過程の処理動作を概ね同様に行う。実施の形態２による例えばハンズフリー電話装置１Ａは、図３−１に示したステップＳＴ１０１〜ＳＴ１０３の各過程を前述のように行う。なお、通信相手の車両Ｂに携帯電話機３と携帯電話機５が搭載されているときには、ステップＳＴ１０１の過程において、これら二つの携帯電話機３，５の各電話番号を登録しておく。
実施の形態２によるハンズフリー電話装置１Ａの制御部１３は、ステップＳＴ１０４の過程において、車両Ａに搭載されている携帯電話機とブルートゥース通信のリンクを張るとき、ブルートゥース通信部１２を制御して車両Ａに搭載されている携帯電話機２と携帯電話機４とを探索し、携帯電話機２に備えられているブルートゥース通信部２０及び携帯電話機４に備えられているブルートゥース通信部４０と各々ブルートゥース通信のリンクを張る。なお、車両Ｂに搭載されているハンズフリー電話装置１Ｂと携帯電話機３，５との間にも、同様にブルートゥース通信のリンクを張っておく。
【００２８】
この後、実施の形態２によるハンズフリー電話装置１Ａの制御部１３は、前述のようにステップＳＴ１０５〜ＳＴ１１０の各過程の処理動作を行い、ステップＳＴ１１１の過程においてブルートゥース通信部１２を制御し、携帯電話機２と携帯電話会社甲の基地局とを接続する電波の電界強度を示す信号、及び、携帯電話機４と携帯電話会社乙の基地局とを接続する電波の電界強度を示す信号を、当該携帯電話機２，４から各々入力する。制御部１３は、入力した上記の二つの信号を比較して電界強度の強い携帯電話機を選択する。例えば携帯電話機２を選択したとき、制御部１３はブルートゥース通信部１２を介して携帯電話機２の動作制御を行って、当該携帯電話機２と同じ携帯電話会社甲の基地局と接続する携帯電話機３にダイヤルし、ハンズフリー電話装置１Ｂを発呼して通信経路を確立する。なお、上記の比較により携帯電話会社乙の基地局との電波の電界強度が強いと判断したときには、ハンズフリー電話装置１Ａの制御部１３が携帯電話機４を用いて携帯電話機５にダイヤルし、ハンズフリー電話装置１Ｂとの通話動作を行う。このように車両Ａ，Ｂが位置する場所において基地局との間の電波の電界強度が強く、当該基地局もしくは電話網との接続状態が良好な携帯電話機を選択して車両Ａ，Ｂ間の電話通信を行う。
【００２９】
この後、実施の形態２によるハンズフリー電話装置１Ａの制御部１３は、前述のようにステップＳＴ１１２〜ＳＴ１１５の各過程の処理動作を行い、ハンズフリー電話装置１Ｂとの通話動作を行う。
ここでは、車両Ａに搭載されているハンズフリー電話装置１Ａが携帯電話機２，４を用いて車両Ｂに搭載されている携帯電話機３，５に発呼して、ハンズフリー電話装置１Ｂと通話を行う場合の動作を説明したが、車両Ｂに搭載されているハンズフリー電話装置１Ｂが携帯電話機３，５を用いて車両Ａの携帯電話機２，４に発呼し、ハンズフリー電話装置１Ａと通話を行う動作も同様に行われる。
【００３０】
以上のように実施の形態２によれば、例えば、車両Ａに搭載されているハンズフリー電話装置１Ａの制御部１３が、ブルートゥース通信部１２を制御して同一車両に搭載されている複数の携帯電話機２，４とブルートゥース通信を行い、携帯電話機２，４から入力した基地局との間の電波の電界強度を示す信号に基づいて基地局との接続状態が良好な携帯電話機を選択し、当該選択した携帯電話機を用いて通話相手のハンズフリー電話装置１Ｂと接続している携帯電話機にダイヤルするようにしたので、異なる携帯電話会社の通話サービスを各々受けている携帯電話機を同一車両に搭載しているときには、基地局との接続状態が良好な携帯電話機を自動的に選択することができ、ハンズフリー電話装置を搭載している車両の位置・地域を通話圏内としている携帯電話機を用いて良好に通話することができるという効果がある。
【図面の簡単な説明】
【００３１】
【図１】この発明の実施の形態１によるハンズフリー電話装置を用いた通信システムの構成を示す説明図である。
【図２】実施の形態１によるハンズフリー電話装置の構成を示すブロック図である。
【図３−１】実施の形態１によるハンズフリー電話装置の動作を示すフローチャートである。
【図３−２】実施の形態１によるハンズフリー電話装置の動作を示すフローチャートである。
【図４】この発明の実施の形態２によるハンズフリー電話装置を用いた通話システムの構成を示す説明図である。
【符号の説明】
【００３２】
１Ａ，１Ｂ  ハンズフリー電話装置、２〜５  携帯電話機、１０  マイク、１１  スピーカ、１２，２０，３０，４０，５０  ブルートゥース通信部、１３  制御部、１３ａ  記憶部、１４  音声入出力部、１５  表示部、１６  操作部。
【図１】
2008153976.tif 000003
【図２】
2008153976.tif 000004
【図３−１】
2008153976.tif 000005
【図３−２】
2008153976.tif 000006
【図４】
2008153976.tif 000007